(57)【特許請求の範囲】
【請求項１】
個人向けコンテンツ・チャネルに関連する少なくとも１つの更なるコンテンツ項目の推奨を生成する方法であって、前記コンテンツ項目は、テレビジョン番組若しくはその一部、又はビデオ及び／又はオーディオデータを含むデータ・ストリームであり、前記方法は：
−複数の選択基準を有するフィルターが、前記複数の選択基準の全てに適合するコンテンツ項目を有する個人向けコンテンツ・チャンネルを提供する段階；及び
−推奨エンジンが、前記複数の選択基準を部分的に満たす前記少なくとも１つの更なるコンテンツ項目の推奨を生成する段階；
−選択する手段が、前記少なくとも１つの推奨された更なるコンテンツ項目の少なくとも１つを選択する段階；
−調整する手段が、前記選択された少なくとも１つの推奨された更なるコンテンツ項目の少なくとも１つの特徴に基づき、前記複数の選択基準を調整する段階、を有する方法。
【請求項２】
前記選択する手段が、ユーザーからの指示に従って、前記少なくとも１つの更なるコンテンツ項目の推奨を生成するために用いられるべき選択基準を前記複数の選択基準から選択する段階、を更に有する請求項１に記載の方法。
【請求項３】
前記複数の選択基準を調整する段階は：
−前記調整する手段が、前記個人向けコンテンツ・チャンネルで再生するために前記少なくとも１つの選択された推奨された更なるコンテンツ項目を含めるために、前記個人向けコンテンツ・チャンネルのコンテンツを調整する段階、を有する請求項１に記載の方法。
【請求項４】
前記複数の選択基準を調整する段階は：
−前記調整する手段が、前記個人向けコンテンツ・チャンネルで再生するために前記選択された少なくとも１つの推奨された更なるコンテンツ項目の前記少なくとも１つの特徴を有するコンテンツ項目を含めるために、前記個人向けコンテンツ・チャンネルのコンテンツを調整する段階、を有する請求項１に記載の方法。
【請求項５】
−前記少なくとも１つの推奨された更なるコンテンツ項目の少なくとも１つを選択する段階は：
−前記選択する手段が、前記少なくとも１つの推奨された更なるコンテンツ項目を表示する段階；
−前記選択する手段が、前記少なくとも１つの推奨された更なるコンテンツ項目を選択するために前記表示を選択する段階、を有する請求項１に記載の方法。
【請求項６】
前記表示は、前記少なくとも１つの推奨されたコンテンツ項目の前記少なくとも１つの特徴を有する、請求項５に記載の方法。
【請求項７】
前記方法は：
−前記選択する手段が、前記個人向けコンテンツ・チャンネルで前記コンテンツ項目の特定の１つを再生している間、前記コンテンツ項目の特定の１つの少なくとも１つの特徴を選択する段階；
−前記調整する手段が、前記選択された特徴を有するコンテンツ項目が前記個人向けコンテンツ・チャンネルでの再生から除外されるよう、前記複数の選択基準を調整する段階、を更に有する請求項１に記載の方法。
【請求項８】
前記選択する手段は、ユーザーからの入力に従って、前記少なくとも１つの推奨された更なるコンテンツ項目の少なくとも１つを選択する、請求項１に記載の方法。
【請求項９】
前記選択する手段は、最も高く推奨される少なくとも１つの推奨された更なるコンテンツ項目を自動的に選択することにより、前記少なくとも１つの推奨された更なるコンテンツ項目の少なくとも１つを選択する、請求項１に記載の方法。
【請求項１０】
個人向けコンテンツ・チャネルに関連する少なくとも１つの更なるコンテンツ項目の推奨を生成するシステムであって、前記コンテンツ項目は、テレビジョン番組若しくはその一部、又はビデオ及び／又はオーディオデータを含むデータ・ストリームであり、前記システムは：
−複数の選択基準を有するフィルターであって、前記複数の選択基準の全てに適合するコンテンツ項目を有する個人向けコンテンツ・チャンネルを提供する、フィルター；
−前記複数の選択基準を部分的に満たす前記少なくとも１つの更なるコンテンツ項目の推奨を生成する推奨エンジン、
−前記推奨された少なくとも１つの更なるコンテンツ項目の少なくとも１つを選択する手段；及び
−前記選択された少なくとも１つの推奨された更なるコンテンツ項目の少なくとも１つの特徴に基づき、前記選択基準を調整する手段、を有するシステム。
【請求項１１】
コンピューター・プログラムであって、請求項１乃至９の何れか一項記載の方法を実行するプログラム・コードを有するコンピューター・プログラム。
【発明の詳細な説明】
【技術分野】
【０００１】
本発明は、例えばＴＶ番組及び／又は曲のための少なくとも１つの更なるコンテンツ項目の推奨の生成に関する。
【背景技術】
【０００２】
ＴｉＶｏにより提供されるような個人向けビデオ・レコーダー及びマイクロソフト社により開発されたＷｉｎｄｏｗｓ（登録商標）  Ｍｅｄｉａ  Ｃｅｎｔｅｒのようなデジタル・ビデオ・レコーダーのためのコンピューターに基づくシステムが良く知られている。これらのシステムは、ユーザーが電子番組案内を用いて番組をスケジュールすることを可能にする。番組は、後にユーザーの都合の良いときに再生するためにハード・ディスク・ドライブに記録されて良い。
【０００３】
しかしながら、利用可能なチャンネル数が増加し、従って電子番組案内が複雑さを増すと、電子番組案内の閲覧に時間がかかり、従ってユーザーは記録及び／又は閲覧したい番組を手動でスケジュールすることが困難になる。更に、多くの既存のシステムには多数の番組が記録され、ユーザーは再生のために記録した番組を閲覧するためにメニュー階層を通過しなければならない。これは、面倒で時間がかかることが分かっている。更に、ハード・ディスク・ドライブは容量が限られており直ぐに一杯になってしまう。従って、ユーザーは、新たな項目を記録する前に、記録した番組を閲覧し削除する項目を選択しなければならない。これらの問題のいくつかは、例えば特許文献１及び特許文献２に開示された仮想チャンネル（又は個人コンテンツ・チャンネル）の生成により解決される。仮想チャンネルは連結したコンテンツ項目を有する。特許文献１（米国特許出願公開第２００２−０１４４２８２Ａ１、代理人管理番号ＰＨＵＳ０１８０３２）及び特許文献２（米国特許出願公開第０９／４６９８７５、代理人管理番号ＰＨＮＯ１７２６９）は、参照されることにより本願明細書に組み込まれる。個人化向けコンテンツ・チャンネルのそれぞれは、ユーザーにより明確に認識される見出し、例えばニュース・チャンネル、フットボール・チャンネル、Ｆｒｉｅｎｄｓ連続ドラマ・チャンネル、又は映画チャンネル等を表して良い。個人化向けコンテンツ・チャンネル毎に、次回の番組の範囲全体に働く（ブール）フィルターがある。当該フィルターを通過した番組は、自動的に記録のためにスケジュールされ、当該記録が開始すると又は完了すると直ぐに対応するチャンネルで利用可能にされる。優先度の仕組みが用いられ、番組間の如何なる記録の衝突を解決しても良い。
【０００４】
個人化向けコンテンツ・チャンネルで利用可能な番組は、順序付けられ、個人化向けチャンネルと関連付けられた主要ジャンルに従い削除されて良い。例えば、ニュース・チャンネルで、「最新の」ニュース番組が最初に示され、異なる番組のそれぞれの１回放送分のみが保持される。特に本日の２０：００ｈのニュース速報が完全に記録されると直ぐに昨日の０：００ｈのニュース速報が削除される。連続ドラマ・チャンネルは、当該チャンネルを観るのを止めた場所から再生を開始する。観賞を止めた位置は格納され、将来の再生が格納された位置、つまりユーザーが観るのを止めた位置から再生が開始されるようにして良い。また、最新の５個の「観賞を止めた」位置が格納され、異なるユーザーによる同一のチャンネルの使用に適合することも考えられる。削除方針は、これらの位置に基づいて良い。例えば全てのユーザーにより完全に観賞された番組は直ちに削除される。別の例では、固定回数の放送分、例えば５回の最新放送分が個人化向けチャンネルに保持され、如何なるそれ以前の放送回分も削除される。
【０００５】
個人化向けコンテンツ・チャンネルは、通常、通常のＴＶチャンネルのように、例えばリモコンのチャンネル選択ボタンを用いて、及び／又は電子番組案内を用いてアクセスされる。しかしながら、番組が記録されるので、チャンネルは前方／後方画像検索、コマーシャル・スキップ、及び／又は次の番組へのジャンプという追加の利点を提供する。
【０００６】
知られている個人化向けコンテンツ・チャンネル（つまり、仮想チャンネル）の欠点は、個人向けコンテンツ・チャンネルで再生されるコンテンツ項目が予測できてしまうことである。つまり、知られている個人向けコンテンツ・チャンネルは、ユーザーに思いがけない推奨を提供しない。
【０００７】
特許文献３は、例えばケーブル又は衛星放送から受信され、及び見出し題目、関連性、及び放送時間データを有する案内スケジュール一覧を用い閲覧又は記録のためにテレビ番組を選択するテレビ番組選択システム及び方法を開示している。ユーザーは、時間期間及び任意的に追加で選択モードを選択できる。これは、スケジュール内の番組をソートし、ユーザーに番組を選択させるために表示されるべき推奨テレビ番組の一覧を生成するために用いられる代替のアルゴリズムの１つに対応する。規定の選択モードは、従来の選択アルゴリズムを用い、任意的な選択モードは重み付けがゼロの特徴を有する全ての番組を削除し得る。
【特許文献１】国際公開第０２／０８０５５２号パンフレット
【特許文献２】国際公開第００／４００２１号パンフレット
【特許文献３】国際公開第０２／１０２０６７号パンフレット
【発明の開示】
【発明が解決しようとする課題】
【０００８】
本発明の方法及び装置の目的は、少なくとも１つの更なるコンテンツ項目の推奨を生成する方法を提供することである。当該方法は、特に個人向けコンテンツ・チャンネルと共に用いることに適する。
【課題を解決するための手段】
【０００９】
上述の課題は、本発明のある態様により達成される。当該ある態様では、少なくとも１つの更なるコンテンツ項目の推奨を生成する方法が提供される。前記方法は：複数の選択基準を有するフィルターを用い、前記複数の基準の全てに適合するコンテンツ項目を有する個人向けコンテンツ・チャンネルを提供する段階；及び前記複数の選択基準の少数に適合する前記少なくとも１つの更なるコンテンツ項目の推奨を生成する段階、を有する。コンテンツ項目は、例えばＴＶ番組又は曲であって良い。当該方法は、例えばサービス・プロバイダーにより実行されて良い。コンテンツ項目は、例えば記録された放送コンテンツ項目又は要求に応じて利用可能なコンテンツ項目であって良い。複数の選択基準を有するフィルターは、複数のフィルターを有して良い。例えば、複数のフィルターのそれぞれは１つの選択基準に基づきフィルターして良い。
【００１０】
このように、新たなコンテンツ項目、つまり選択基準を全く満たさないが部分的に満たすコンテンツ項目の推奨が生成される。これらの推奨は、しばしば思いがけないものであり、同時に苛立たせることなくユーザーの好みに十分適合する。追加の利点として、本発明の方法は、他の推奨システムと比べてコンピューターの使用が比較的少ない。
【００１１】
上述の課題は、本発明の第２の態様により達成される。第２の態様では、少なくとも１つの更なるコンテンツ項目の推奨を生成するシステムが提供される。前記システムは：複数の選択基準を有し、前記複数の基準の全てに適合するコンテンツ項目を有する個人向けコンテンツ・チャンネルを提供するフィルター；及び前記複数の選択基準のうちの少数に適合する前記少なくとも１つの更なるコンテンツ項目の推奨を生成する推奨エンジン、を有する。前記システムは１又は複数の装置を有して良い。
【００１２】
ユーザーは、前記複数の基準のうちどれが、前記少なくとも１つの更なるコンテンツ項目の推奨を生成するために用いられるべきかを指示して良い。
【００１３】
本発明の方法は、推奨された前記少なくとも１つの更なるコンテンツ項目の少なくとも１つを選択する段階；−前記選択された少なくとも１つの更なるコンテンツ項目の少なくとも１つの特徴に基づき、前記複数の選択基準を調整する段階、を更に有する。
【００１４】
結果として、これは、個人向けコンテンツ・チャンネルの環境で、ユーザーの好みに適合するチャンネルの選択基準の効率的調整を可能にする自然なユーザー・フィードバック（例えば、感情及び判断）を提供する。当該方法は簡易であり、従ってユーザーは個人向けコンテンツ・チャンネルを構成するフィルターの概念を理解する必要がない。
【００１５】
推奨は一覧にされる。ユーザーは、選択基準を調整することにより推奨された更なるコンテンツ項目をチャンネルに含めるために単に選択すれば良い。或いは、更なるコンテンツ項目は、選択基準の調整により、例えば高く推奨された更なるコンテンツ項目又は推奨された更なるコンテンツ項目の無作為な選択により自動的に含められて良い。
【００１６】
複数の選択基準は、選択された推奨された更なるコンテンツ項目が個人向けコンテンツ・チャンネルに含まれるように調整されて良い。これは、選択された推奨された更なるコンテンツ項目の全ての特徴、又は選択された推奨された更なるコンテンツ項目の十分な特徴を当該項目を区別するために具体的に追加することにより達成されて良い。或いは、代案として、複数の選択基準は、類似したコンテンツ項目が個人向けコンテンツ・チャンネルに含まれるように、他の特徴に基づき調整されて良い。
【００１７】
ユーザーは、所望の推奨されたコンテンツ項目を、例えばテレビジョン画面に表示された一覧から選択して良い。或いは代案として、推奨されたコンテンツ項目の次回予告又は新番組紹介が示され、ユーザーは次回予告又は新番組紹介が行われている間、又は次回予告／新番組紹介が終了した後に選択する。
【００１８】
本発明のより完全な理解のため、添付の図と共に以下の説明を参照する。
【発明を実施するための最良の形態】
【００１９】
図１は、本発明の実施例による装置の概略ブロック図を示す。当該装置は、テレビジョン、ビデオ・モニター等のような出力再生装置１１９でコンテンツ項目（番組、ビデオ及び／又は音声データを有するデータ・ストリーム、及び番組の一部）を再生する個人向けコンテンツ・チャンネルのためのプロセッサー１００を有する。コンテンツ項目は、例えばアンテナ、ケーブル・ネットワーク、又はインターネット接続を介し、プロセッサー１００の入力端子１０１にある復調／復号手段を介し、受信される。コンテンツ項目は、音声及び／又はビデオ・データ及び情報データを有する。情報データは、ジャンルのような音声／ビデオ・データの特徴を有する。これらの特徴は属性及び対応する属性値の形式であって良い。
【００２０】
プロセッサー１００の入力端子１０１は、フィルター１０３及び推奨エンジン１０７のそれぞれの入力と接続される。フィルター１０３及び推奨エンジン１０７は、プロセッサー内にローカルに維持されるか若しくは遠隔サーバーに維持されて良いユーザー・プロファイル記憶１０５にアクセスし、例えばインターネットを介した電話回線を介してアクセスされる。フィルター１０３及び推奨エンジン１０７の出力は、スケジューラー１０９と接続される。スケジューラー１０９は、フィルター１０３を通過したコンテンツ項目、つまりフィルター１０３の選択基準を満足するコンテンツ項目（以下に更に詳細に記載される）を、記憶１１１に記録するため、及び／又はプロセッサー１００の出力端子１１７に接続された出力再生装置１１９で再生するためにスケジュールする。スケジューラー１０９は、リモコン装置１１５及び受信機１１３を介しユーザーから命令を受信する。
【００２１】
フィルター１０３の動作は、以下に詳細に記載される。
【００２２】
ユーザー・プロファイル記憶１０５に格納されたフィルター１０３の選択基準は、論理和標準形式により表される。
【００２３】
【数１】
0005457677.tif 000002
ここで、ａｉｊはｉ番目の論理和のｊ番目の直定数を表す。
【００２４】
フィルター１０３へ入力されたコンテンツ項目は、選択基準、つまり全ての論理和が完全に満たされる場合にフィルター１０３を通過する。
【００２５】
選択基準の各論理和の各直定数は、コンテンツ項目の特徴、例えば属性及び対応する属性値、例えばコンテンツ項目の情報データにより提供される属性「時間」、「チャンネル」、「題名」、「ジャンル」等により表されて良い。
【００２６】
特定の個人向けコンテンツ・チャンネルの選択基準の例を以下に示す。
（時間＝１９：３０且つチャンネル＝ＲＴＬ４且つ題名＝ＲＴＬ４ニュース且つジャンル＝ニュース）、又は
（時間＝２０：００且つチャンネル＝Ｎｅｄ１且つ題名＝ＮＯＳジャーナル且つジャンル＝ニュース）。
【００２７】
従って、選択基準を満たすコンテンツ項目は、記憶１１１に記録するためスケジューラー１０９へ渡され、及び／又は出力再生装置１１９で再生される。
【００２８】
推奨エンジン１０７はまた、選択基準にアクセスし、選択基準から推奨コンテンツ項目一覧を作成する。推奨エンジン１０７は、例えば０から１の段階で、コンテンツ項目の評価が可能であって良い。推奨エンジン１０７により推奨コンテンツ項目は、関連する個人向けコンテンツ・チャンネルのフィルター１０３の選択基準に近いと考えられるコンテンツ項目である。「近い」の概念は以下に定められる。
【００２９】
コンテンツ項目は、少なくとも１つの論理和、つまりｎ個の直定数、正確にはｎ−１個の直定数を満たし、且つ如何なる論理和も完全に満たされない場合に、個人向けコンテンツ・チャンネルに「近い」と称される。換言すると、厳密に１つの直定数が論理和から除外される。全ての近いコンテンツ項目を通じ、最も高い評価、例えば上位１０個の部分集合が作成されて良い。これらの評価の数的指標は従来知られているので、本願明細書に記載されない。例えば、近さの代替の指標、例えば少なくともｎ−２個の直定数が満たされるという指標が定められても良い。上述の特定の例では、ＲＴＬ４の２２：３０の「ＲＴＬ４ニュース」は以下を満たす。
（チャンネル＝ＲＴＬ４且つ題名＝ＲＴＬ４ニュース且つジャンル＝ニュース）。
ここで、最初の論理和の中の直定数「時間＝１９：３０」は排除されている。従って、ＲＴＬ４の２２：３０の「ＲＴＬ４ニュース」は、フィルターの選択基準に「近く」、「時間＝２０：００」の場合にＮｅｄｌの１７：００の「ＮＯＳジャーナル」は排除されている。従って、これらは推奨コンテンツ項目であり得る。これらの推奨コンテンツ項目は、スケジューラー１０９へ送られユーザーに示される。
【００３０】
特定の実施例では、ジャンルに関する直定数又は個人向けコンテンツ・チャンネル、つまり仮想チャンネルを特徴付ける他のフィールドは、論理和の必須部であり、従って決して除外されない。従って、上述の例では、ジャンル＝ニュースを有するコンテンツ項目のみが推奨される。
【００３１】
ある実施例では、スケジューラー１０９は、出力再生装置１１９で表示するために受信した推奨コンテンツ項目の一覧を送る。出力再生装置１１９の画面は２つの部分を有する。つまり１つの部分はフィルター１０３によりフィルターされた結果として記録のためにスケジュールされたコンテンツ項目を表示し、もう１つの部分はチャンネルの既に記録されたコンテンツ項目を表示する。後者は当該画面から再生のために直接に選択されて良い。推奨コンテンツ項目一覧は、画面の第１の部分に表示されて良い。従って推奨されたものは画面の当該部分から、画面の第１の部分の当該部分へ簡単に移動することができる。つまり、記録のためにスケジュールされたコンテンツ項目は、個人向けコンテンツ・チャンネルに含まれるが、当該コンテンツ項目の記録はまだ実行されていない。このように、スケジューラー１０９は、選択された推奨コンテンツ項目の記録及び／又は再生をスケジュールして良い。
【００３２】
代替の実施例では、推奨コンテンツ項目は、個人向けコンテンツ・チャンネルを観ている間にリモコン装置１１５のボタンを押下することにより要求に応じて表示されて良い。推奨コンテンツ項目のメニューは、出力再生装置１１９の画面に表示されて良い。如何なる推奨コンテンツ項目も、個人向けコンテンツ・チャンネルに含めるためにユーザーにより選択されて良い。或いは、推奨コンテンツ項目一覧は、個人向けコンテンツ・チャンネルの閲覧が終了すると表示されて良い。一覧は個人向けコンテンツ・チャンネルの一部として示されて良い。
【００３３】
これは、チャンネルの選択基準を調整するための推奨コンテンツ項目の選択を簡単にする。例えば、最終放送回が放送された連続ドラマ・チャンネルに対し、ユーザーは、全ての放送回分を見終わった場合、当該チャンネルが終了するときに当該チャンネルを入力する。次に、当該チャンネルを「継続」するために、類似した連続ドラマ（例えば、同一の俳優、同一のジャンル）についての推奨コンテンツ項目が示される。
【００３４】
次回予告又は新番組紹介を利用して、チャンネルの終わりに推奨されたものは、次回予告／新番組紹介の再生の形式で表示されて良い。或いは、次回予告／新番組紹介は、個人向けＴＶチャンネル内のコンテンツと交互に配置されて良い。例えば、１つの次回予告が当該チャンネルで示される２つの番組の間に挿入される。これは、次回予告／新番組紹介が行われている間に単にリモコン装置１１５のボタンを押下することによりコンテンツ項目を簡単に含めることを可能にする。
【００３５】
ユーザーは、従って、単に推奨コンテンツ項目及びスケジューラー１０９からフィルター１０３の既存の選択基準の直定数及び／又は論理和を変更／追加することを選択することにより選択基準を簡単に調整できる。
【００３６】
選択された推奨コンテンツ項目のみを含めるため、更なる論理和、つまりチャンネル、時間枠、及び題名が既存の選択基準に追加されて良い。
【００３７】
論理和の内容に依存して、これは、特定のコンテンツ項目のみ、又は連続ドラマの全ての放送回分等を追加して良い。論理和は、将来出現する、未だ如何なる情報データも利用可能でない、より多くのコンテンツ項目を含んでも良い。
【００３８】
選択された推奨コンテンツ項目及び類似した項目を含めるために選択基準を調整することは、推奨コンテンツ項目の情報データの要約を提供することにより達成されて良い。当該要約から、ユーザーはどの属性及び属性値の対が選択基準の調整に含まれるべきかを選択して良い。例えば、ユーザーは推奨コンテンツ項目一覧からコンテンツ項目を選択し、当該コンテンツ項目の情報データを属性及び属性値の形式で一覧表にしたポップアップ・ウインドウが現れ、新たな論理和を策定するためにユーザーに当該属性及び値を選択させる。このように、映画「スピード２」を選択することは、ユーザーに、例えば興味のある女優「サンドラ・ブロック」及びジャンル「アクション」を表明させる。例えば週毎にどれだけ多くの追加コンテンツ項目が、追加されるべき新たな論理和の結果としてフィルターを通過するかについての迅速なフィードバックが提供され、ユーザーが彼の決定の効果にアクセスすることを可能にして良い。
【００３９】
別の実施例では、ユーザーは、推奨コンテンツ項目一覧からコンテンツ項目を選択し、選択されたコンテンツ項目及び場合によっては類似したコンテンツ項目を含めるためにフィルターを生成する方法を示唆するポップアップ・ウインドウが表示される。例えば、当該ポップアップ・ウインドウは、選択されたコンテンツ項目が対応する、より汎用的な論理和を満たすようにする直定数を除外することを示唆して良い。これは、上述の手法と結合され、汎用論理和に新たな直定数を追加して良い。
【００４０】
更なる実施例では、１又は複数の高推奨コンテンツ項目が自動的に選択されて良い。当該高推奨コンテンツ項目は、上述のようにフィルターに追加されて良い。又は、ユーザー・プロファイルが用いられ適切な属性及び値が選択される。従って、新たな論理和の結果としてフィルターを通過する例えば週毎の追加コンテンツ項目の数が、適切な値により抑制される。
【００４１】
本発明の実施例によるシステムでは、不要なコンテンツ項目は個人向けコンテンツ・チャンネルから容易に且つ持続的に除去され得る。持続的除去は、将来の類似したコンテンツ項目を記録及び／又は個人向けコンテンツ・チャンネルに包含されることから排除するために、個人向けコンテンツ・チャンネルに関連したフィルターの調整を必要とする。
【００４２】
ユーザーは、個人向けコンテンツ・チャンネルを観ている間にリモコン装置１１５のボタンを押下することにより削除を要求して良い。スケジューラー１０９は、命令を受信すると、個人向けコンテンツ・チャンネルのフィルター１０３の選択基準を直ちに調整する。或いは、ユーザーは、カーソルが個人向けコンテンツ・チャンネルの不要なコンテンツ項目一覧に位置付けられている場合にリモコン装置１１５のボタンを押下する。そしてスケジューラー１０９は当該コンテンツ項目を直ちに削除し、個人向けコンテンツ・チャンネルの選択基準を調整する。ユーザーが削除すべきコンテンツ項目を選択している場合、これは、選択されたコンテンツ項目が満たす全ての論理和を拡張することにより効果を奏し、当該コンテンツ項目を除去する。これは、当該コンテンツ項目を指定する属性値の対の否定を追加することにより行われて良い。或いは、当該コンテンツ項目の情報データを一覧表にするポップアップ・ウインドウが現れ、ユーザーに全ての論理和から、選択されたコンテンツ項目が満たす除外されるべき属性及び属性値を選択させる。又は、ポップアップ・ウインドウが現れ、ユーザーに、選択されたコンテンツ項目が満たす論理和を適応させる。従って、選択されたコンテンツ項目が除外される。システムは、これらの論理和を適応する方法のような示唆を提供し、ユーザーを支援して良い。例えば連続ドラマ全体を削除する場合に、システムは「題名が％連続ドラマの題名％に等しくない」という直定数を論理和に追加することにより、論理和から当該連続ドラマを除去して良い。
【００４３】
結果として生じる論理和が空であると分かる場合、当該論理和は完全に削除されて良い。例えば、論理和がチャンネル、時間枠、及び題名を用いて連続ドラマを指定した場合、及び連続ドラマが削除するよう選択された場合、論理和は削除され、当該論理和は空であると分かる。
【００４４】
フィルターの保守性に役立つよう、ユーザーが論理和全体を削除する選択肢がある。これは、ユーザーがフィルター管理ツールから論理和を選択し当該論理和を削除することにより、又はフィルター管理ツールが、例えば論理和を満たすコンテンツ項目に出会わない論理和を削除するよう示唆することにより、達成されて良い。従って、ユーザーは削除するか否かを決定できる。或いは、推奨エンジンは、ユーザーへ推奨されるコンテンツ項目に出会わない論理和を削除するよう示唆する。ユーザーは従って、当該論理和を削除するか否かを決定できる。
【００４５】
更なる実施例では、例えば論理和がサッカー・ワールドカップ又はクリスマス映画のような季節に関連する番組に関する場合に、論理和は削除するよう決して示唆されないようマーク付けされて良い。
【００４６】
本発明の実施例によるシステムは、論理和を対応する数のフィルター、つまり個人向けコンテンツ・チャンネルに分割される多数のグループにグループ化することにより個人向けコンテンツ・チャンネルを分割するために用いられて良い。このグループ化は、例えば論理和のジャンル若しくは題名の直定数に従って良く、従ってユーザーが有用な分割を行うのを支援する。
【００４７】
例えば、ユーザーが最初に連続ドラマのＦｒｉｅｎｄｓで始まる連続ドラマ・チャンネルを作成し、後に当該連続ドラマ・チャンネルを「Ａｓ  ｔｈｅ  Ｗｏｒｌｄ  Ｔｕｒｎｓ」、Ｎｅｉｇｈｂｏｒｓ、及びＳｅｉｎｆｉｅｌｄに拡張したとする。彼は次に、個人向けコンテンツ・チャンネルを、１つはコメディであるＦｒｉｅｎｄｓとＳｅｉｎｆｉｅｌｄとを含み、もう１つは他の２つの連続ドラマを含む２つに分割したいと思う。これは、本発明の実施例によるシステムにより簡単に達成される。
【００４８】
本発明の好適な実施例は添付の図面に示され上述の詳細な説明に記載されたが、本発明は開示された実施例に制限されないこと、特許請求の範囲に記載された本発明の範囲から逸脱することなく多数の変更が可能であることが理解されるだろう。
【図面の簡単な説明】
【００４９】
【図１】本発明の実施例による装置の概略ブロック図を示す。
【図１】
0005457677.tif 000003